(57)【要約】      （修正有）【課題】傘の損傷や開口部に手を入れてしまうなどの不測な事故を未然に防止するとともに、回収後のビニール袋がローラに絡みつくことを防ぐ傘収納用ビニール袋回収装置を提供する。【解決手段】ビニール袋が被嵌された傘を装置本体内に挿入するために挿入用開口キャップ管を装置本体挿入孔に対し脱着自在に設けると共に、前記挿入傘の外周面が接触しかつビニール袋を回収する方向に回転する二つのローラＲａ，Ｒｂが傘の挿入方向に対し前後に並列配設されるローラユニット４を設けることを特徴とする傘収納用ビニール袋回収装置において、当該ローラに形成される突条間の溝部に嵌入される円環ループ体がローラユニット４内に配される環状部材との間に張設されることを特徴とするものである。【選択図】図７
2019097848.tif 000002
【特許請求の範囲】
【請求項１】
ビニール袋が被嵌された傘を装置本体内に挿入するために挿入用開口キャップ管を装置本体挿入孔に対し脱着自在に設けると共に、挿入傘の外周面が接触しかつビニール袋を回収する方向に回転する二つのローラが傘の挿入方向に対し前後に並列配設されるローラユニットを設けることを特徴とする傘収納用ビニール袋回収装置。
【請求項２】
ビニール袋が被嵌された傘を装置本体内に挿入するために挿入用開口キャップ管を装置本体挿入孔に対し脱着自在に設けると共に、前記挿入傘の外周面が接触しかつビニール袋を回収する方向に回転する二つのローラが傘の挿入方向に対し前後に並列配設されるローラユニットを設けることを特徴とする傘収納用ビニール袋回収装置において、当該ローラに形成される突条間の溝部に嵌入される円環ループ体が当該ローラユニット内に配される環状部材との間に張設されることを特徴とする傘収納用ビニール袋回収装置。
【請求項３】
前記挿入用開口キャップ管の後端開口部下部に切欠部が形成されることを特徴とする請求項１乃至請求項２に記載された傘収納用ビニール回収装置。
【請求項４】
前記円環ループ体が、並列された各ローラと装置本体内の各環状部材間にそれぞれ複数張設され、ローラ溝部における円環ループ体嵌入箇所を相互に正対させないことを特徴とする請求項１乃至請求項２に記載された傘収納用ビニール回収装置。
【発明の詳細な説明】
【技術分野】
【０００１】
本発明は、雨に濡れた傘を収納するビニール袋を回収するために雨天時に百貨店やホテルなどに設置される傘収納用ビニール袋回収装置に関するものである。
【背景技術】
【０００２】
従来、雨に濡れた傘を収納するビニール袋を回収する装置が各種提案されており、例えば、回収手段として、対向するローラを回収方向へ回転自在とし、挿入する傘を挟持するように対抗ローラを配設したものが知られている（先行技術参照）。
【先行技術文献】
【特許文献】
【０００３】
【特許文献１】特開平８−２６２３２公報
【０００４】
しかしながら、対向ローラが挿入傘を挟持するような位置に配設された場合（すなわち、傘の先端部以降が対向ローラ間の隙間に挿入されていく態様の場合）、挿入の不手際などにより傘自体を回転する対向ローラにより傷めるおそれや、対向ローラ間の隙間奥深くに差し込み思わぬ事故を誘発することも考えられる。
【０００５】
また、傘を挿入する挿入開口部が大きい場合、本来の使用目的に反し缶や瓶などを投入されるおそれや、児童が誤って手を入れてしまう危険性もあるので可及的小幅が望まれるところ、上記先行技術における実施例のように対向ローラが挿入方向に対し左右に配置され垂直方向に傘を出し入れする態様においては、傘のほぼ全体を挿入可能とするある程度の開口幅が必要となる。
【０００６】
さらに、回転する複数のローラを備える回収装置においては、回収されたビニール袋が装置本体内で浮上し回転ローラに絡みつく事態が非常に問題となる。
【発明の概要】
【発明が解決しようとする課題】
【０００７】
本発明は、上記問題点に鑑みなされたものであって、傘の損傷や開口部に手を入れてしまうなどの不測な事故を未然に防止するとともに、回収後のビニール袋がローラに絡みつくことを防ぐ傘収納用ビニール袋回収装置を提供するものである。
【課題を解決するための手段】
【０００８】
本発明は、請求項１に記載のように、傘収納用ビニール袋回収装置において、ビニール袋が被嵌された傘を装置本体内に挿入するために挿入用開口キャップ管を装置本体挿入孔に対し脱着自在に設けると共に、挿入傘の外周面が接触しかつビニール袋を回収する方向に回転する二つのローラが傘の挿入方向に対し前後に並列配設されるローラユニットを設けることを特徴とするものである。
【０００９】
本発明は、請求項２に記載のように、ビニール袋が被嵌された傘を装置本体内に挿入するために挿入用開口キャップ管を装置本体挿入孔に対し脱着自在に設けると共に、前記挿入傘の外周面が接触しかつビニール袋を回収する方向に回転する二つのローラが傘の挿入方向に対し前後に並列配設されるローラユニットを設けることを特徴とする傘収納用ビニール袋回収装置において、当該ローラに形成される突条間の溝部に嵌入される円環ループ体がローラユニット内に配される環状部材との間に張設されることを特徴とするものである。
【００１０】
本発明は、請求項３に記載のように、請求項１乃至請求項２に記載された傘収納用ビニール袋回収装置において、前記挿入用開口キャップ管の後端開口部下部に切欠部が形成されることを特徴とするものである。
【００１１】
本発明は、請求項４に記載のように、請求項１乃至請求項２に記載された傘収納用ビニール袋回収装置において、前記円環ループ体が、並列された各ローラと装置本体内の各環状部材間にそれぞれ複数張設され、ローラ溝部における円環ループ体嵌入箇所を相互に正対させないことを特徴とするものである。
【発明の効果】
【００１２】
本発明は請求項１に記載のような構成を採用することにより、回転ローラによる傘の損傷や、装置内に手や物を入れることに伴う不測の事故を防止することが可能となる。
また、挿入された傘の先端が所定角度をもってローラの所定箇所に導くことが可能となる。
【００１３】
本発明は請求項２に記載のような構成を採用することにより、回収後のビニールが回転ローラに絡みつく事態を防ぐことが可能となる。
【００１４】
本発明は請求項３に記載のような構成を採用することにより、傘に被嵌されたビニールを確実に除去することが可能となる。
【００１５】
本発明は請求項４に記載のような構成を採用することにより、回収後のビニールが回転ローラに絡みつく事態を効果的に防ぐことができると共に、円環ループ体の損耗を防止することが可能となる。
【図面の簡単な説明】
【００１６】
【図１】本発明の傘収納用ビニール回収装置を表した図である。
【図２】本発明の傘収納用ビニール回収装置の背面を表した図である。
【図３】本発明の傘収納用ビニール回収装置における蓋部を開放した状態を示した図である。
【図４】挿入用開口キャップ管を表した図である。
【図５】挿入用開口キャップ管を表した図である。
【図６】挿入用開口キャップ管を表した図である。
【図７】ローラユニットを表した図である。
【図８】ローラユニットを表した図である。
【図９】ローラユニットを表した図である。
【図１０】ローラユニットを表した図である。
【図１１】傘の挿入過程を説明するための概念図である。
【図１２】傘の挿入過程を説明するための図である。
【発明を実施するための形態】
【００１７】
以下、本発明に係る傘収納用ビニール袋回収装置に関して詳細に説明する。
【００１８】
図１〜図２は、本発明に係る傘収納用ビニール袋回収装置の一実施例の外観を示す図であり、本実施例においては、高さ８５０ｍｍ、幅３４０ｍｍ、奥行き４１０ｍｍの略立方体状に形成されるが、装置の設置環境や、ビニール袋の回収能力、傘の挿入位置の高さなどを考慮して適宜決定されるものであり、特段の寸法限定はない。
【００１９】
装置本体Ａは、図１〜図３に示すように、基本的には、回収ボックス部１と、回収ボックス部１に対し開閉自在な蓋部２から構成される。
【００２０】
回収ボックス部１は、上部が開口された立方体状に構成され、回収ボックス部１底面には複数のキャスターＣを備えるなど移動可能とすることが好ましい。回収ボックス部１上方コーナー部にフック（図示せず）を備えるなど稼働時においては除去されたビニール袋を回収する回収用ごみ袋がセットすることも可能である。
【００２１】
回収ボックス部１側面には、回収後のビニール袋の集積状況などを視認可能とするための窓部Ｗが設けられている。
【００２２】
蓋部２は、回収ボックス部１に対し開閉自在に構成され、傘ビニール袋除去稼働時の閉鎖時にロック機構Ｌを設けることなどにより、不測な事故を防止することが可能となる。
【００２３】
図示した実施態様においては、蓋部２は、後方方向に従い高くなる片流れ状の傾斜面を呈し、傾斜面に挿入孔が形成されており、当該挿入孔に挿入用開口キャップ管３が装着される。
【００２４】
また、後述するように、蓋部２の裏面には、傘ビニール袋を除去するローラが配設されるローラユニット４が固定されている。
【００２５】
その他、蓋部２には、インジケータＩを設け、充電池の残量状態や、各種作動状況に関する情報を常時視認可能とする構成や、装置所在の案内板や広告を取付可能とする取付用溝Ｋが形成される構成も適宜選択可能である。
【００２６】
挿入用開口キャップ管３は、前方開口部から後方に行くに従い徐々に小径とするテーパ穴状に形成されており、外観は図４〜図６に示すように、略ラッパ状体を呈する形態が想定される。ここに「前」「後」とは、挿入用開口キャップ管３を装置本体Ａに装着した際に、傘挿入方向に対しての前後を指示する語であり、装置本体から露出した部分が前方開口部となる。
【００２７】
かかる挿入用開口キャップ管３を設けることにより、傘を挿入する開口幅を限定させることが可能となり、かつ開口部から回転ローラまでの距離を確保することとなり、外部から装置内に手や物を入れるといった不測の事故を未然に防止することが可能となる。
【００２８】
また、特定の態様において挿入用開口キャップ３を装置本体Ａに装着することにより、常に、当該態様に対応した特定の角度から装置内に傘を挿入することが可能となる。すなわち、具体的には、図１１の説明用概念図に示すような態様で装着された挿入用開口キャップ管３により、挿入された傘を、最初にその先端部（石突き）Ｕが、後方ローラＲｂの中心部に接触するように誘導することが可能となる。
【００２９】
このように、装置本体Ａに対し、脱着自在の挿入用開口キャップ管３を設けることにより、常に、所定の角度をもってローラの所定箇所に傘の先端を導くことが可能となる。
【００３０】
かかる構成は、従来の傘収納用ビニール袋除去装置における装置本体に穿設された挿入孔から傘を挿入するに際した問題点を抜本的に解決する作用を奏するものであり、傘の破損や使用者の怪我を防ぐことが可能となる。
また、実施態様においては、最初に接触する後方ローラＲｂは、その接触の押圧によりスライドし、この動きが作動スイッチＳに伝達されモータの回転を始動させるシステムを採用する。したがって、挿入傘の挿入位置を意図する箇所に特定させる作用により、極めて簡易な構造において、省エネルギーを図りつつ、安定的な稼働を実現することが可能となる。
【００３１】
なお、例えば、従来例のような装置本体内にテーパ穴状の挿入孔を形成する構成では、ローラの配置などに対応してその誘導箇所の変更を容易にできないが、本発明においては、挿入用開口キャップ管３といったパーツの設計次第で挿入傘の接触箇所を変更することができ極めて経済的である。
【００３２】
図６等に示すように、挿入用開口キャップ管３の後端下部には切欠き部３ａが設けられている。上述のとおり、実施態様においては、傘の挿入路を限定することにより先端部を後方ローラＲｂのみに接触するように図ったが、接触後の最終段階においては挿入用開口キャップ管３後端下部を開放することにより、前方ローラＲａにも被嵌されたビニールを接触させることとし、両ローラの協働によりビニールの除去を確実化させることとした。
【００３３】
すなわち、傘の先端部は一般に石突きと称される棒体が突出しており、傘布が畳まれた箇所に比し細径となっているため、挿入用開口キャップ管３に導かれた傘は、先端部が後方ローラＲｂに接触した後、さらに挿入すれば、開放箇所に従い、下方向に若干の自由度が広がり、前方ローラＲａにも被嵌ビニールが接触させることが可能となり、両ローラの協働により除去が確実となる。
【００３４】
なお、切欠き部３ａの形状は、図示のような半円状が想定されるが、上記の効果を発揮する限りにおいて特段の限定はない。
【００３５】
二つのローラＲａＲｂおよび回転駆動のための各部材を備えるローラユニット４が蓋部２裏面に固定されている。
【００３６】
二つのローラＲａＲｂは傘の挿入方向に対し前後方向に並設される。
【００３７】
二つのローラＲａＲｂの配置関係の説明における「前後」「前方」「後方」とは、基本的に、傘の挿入方向からの「前後」を表す語であり、すなわち、蓋部の挿入孔に近い位置が前方となり、図面上のローラＲａを「前方ローラ」と記載し、ローラＲｂを「後方ローラ」と記載することがある。
ただし、既述のとおり、本発明の実施態様においては、挿入された傘の先端部が最初に接触するローラは「後方ローラＲｂ」である。
【００３８】
各ローラＲａＲｂ間はわずかな間隔をもって配設されており、当該間隔に除去されたビニール袋が落下し、回収ボックス部に集積されることになる。
本発明においては、従来の除去装置におけるローラの配設構成と顕著に異なり、従来例のようにローラ間で傘を挟持することによりビニールを除去する手段は採用せず、傘がローラの上部に接触する際にビニールを巻き取り除去する手段を採用するものである。
【００３９】
ローラの駆動手段は、公知技術に属する駆動手段を用いるものであるが、例えば、ローラＲａＲｂはローラユニット４内においてローラ軸４０ａ４０ｂを介して回転自在に支持されており、ローラユニット４内に設けられた駆動モータＭの駆動軸には、駆動歯車と第１プーリ４１と第２プーリ４２が装着される。
【００４０】
後方ローラＲｂのローラ軸４０ｂの一端には第３プーリ４３が装着され、第３プーリ４３は、第１プーリ４１とベルトＶ１を介して連結される第４プーリ４４とこれに連接する第５プーリ４５がベルトＶ２を介して連結されることにより、後方ローラＲｂは、モータの動力により、ビニールを巻き込む方向（図１１の矢印の方向）に回転するように構成される。
【００４１】
一方、前方ローラＲａは、ローラ軸４０ａの一端に第６プーリ４６が装着され、第６プーリ４６は、第２プーリ４２とベルトＶ３を介して連結されることにより、前方ローラは、モータの動力により、ビニールを巻き込む方向（図１１の矢印の方向）に回転するように構成される。
【００４２】
実施態様においては、これにより、挿入された傘の先端（石突）はまずは後方ローラＲｂに接触する。後方ローラＲｂはその押圧によりスライドし、スイッチギアＧが作動スイッチＳに接触することにより駆動モータの回転が開始される。
【００４３】
各ローラＲａＲｂは各ローラ間の間隔内に巻き込む方向（図１１に示す矢印の方向）に回転し、接触した傘のビニール袋を除去し、間隔内より落下し、回収ボックス部１において集積される。
【００４４】
ローラＲａＲｂの形状は円筒状をはじめ、中心部がくびれたた太鼓状など、２個の回転ローラの間隔に除去ビニールを落下せしめる良好な外形が選択されるものであり、特に限定されるものではない。
【００４５】
ローラ外周面は、ビニール袋の除去の円滑性を図るため、ゴム等の弾性材料が好ましく、また、ビニール素材との摩擦力を考慮し、軸方向に伸びる多数の突条が形成される。
【００４６】
各ローラＲａＲｂには、円環ループ体５ａ５ｂがローラユニット４内の環状部材６ａ６ｂとの間に張設される。
【００４７】
回収ボックス部１に集積されるビニール袋は、嵩張る性質を有するため、回収枚数が増えるに従い、ローラユニット４付近まで浮上し、回転ローラに捲きつくおそれがある。こうした回収ビニールに捲きつきは、正常な作動を妨げる原因となり、ローラユニットの故障にもつながる問題点となる。
【００４８】
しかしながら、本発明にあっては、円環ループ体５ａ５ｂが、各ローラＲａＲｂとローラユニット４内の環状部材６ａ６ｂとの間に張設されることから、ビニールのガートとなり、ローラへの巻きつきを防止することが可能となる。
【００４９】
円環ループ体５ａ５ｂは、各ローラＲａＲｂに形成される突条間の溝部に嵌入することにより、ローラの回転ならびにビニール除去を妨げることなく備えることができる。
【００５０】
また、ビニールのガード性を高めるため、多数本の円環ループ体を設ける場合は、請求項４に記載のように、各ローラに設けた各円環ループ体を正対させない配置とすることにより、前後のループ体同士のこすりあいによる損耗を回避することが可能となる。
【００５１】
なお、回収ボックス部１に集積されるビニールが一定数となった際、ローラの動作に不具合が生じた場合は、これを電流としてＰＣＢが感知し自動的に作動を停止させ、前記のインジケータＩにより知らせることも可能となる。
【符号の説明】
【００５２】
Ａ  装置本体
１  回収ボックス部
２  蓋部
３  挿入用開口キャップ管
４  ローラユニット
【図１】
2019097848.tif 000003
【図２】
2019097848.tif 000004
【図３】
2019097848.tif 000005
【図４】
2019097848.tif 000006
【図５】
2019097848.tif 000007
【図６】
2019097848.tif 000008
【図７】
2019097848.tif 000009
【図８】
2019097848.tif 000010
【図９】
2019097848.tif 000011
【図１０】
2019097848.tif 000012
【図１１】
2019097848.tif 000013
【図１２】
2019097848.tif 000014